(57)【特許請求の範囲】
【請求項１】
底面に吸込口が設けられ、内部に電動式の回転ブラシを有する吸込具本体と、
前記吸込具本体の前記底面が被清掃面に接地しているか否かを検出する検出部と、
前記検出部の動作に応じてスイッチをオン／オフすることにより前記回転ブラシの回転を駆動するモータの動作を制御する安全装置と、を具備した電気掃除機用吸込具であって、
前記安全装置は、正規の位置に取り付けられた前記スイッチの一面が当接する被取付面及び前記被取付面に略垂直な板状部材が設けられたスイッチ固定部品と、前記板状部材の、正規の位置に取り付けられた前記スイッチの反対側から前記スイッチ固定部品に係合されるスイッチ抜止部品と、を有し、
前記スイッチ固定部品の前記被取付面に所定の取付方向に略平行に突設され、前記スイッチに穿設された取付孔と嵌合する固定ピンと、
前記スイッチ抜止部品に突設され、前記所定の取付方向と略直交して前記板状部材に穿設された貫通孔を貫通する抜止リブと、を備え、
前記貫通孔及び前記抜止リブは、前記固定ピンに前記取付孔が嵌合されて前記スイッチが前記正規の位置に取り付けられた状態において、前記貫通孔を貫通した前記抜止リブが、前記スイッチの反前記被取付面側の面と対向するように配置され、
前記抜止リブは、前記板状部材の、正規の位置に取り付けられた前記スイッチの反対側から前記貫通孔に貫通されることを特徴とする電気掃除機用吸込具。
【請求項２】
前記抜止リブは、先端にいくにつれ次第に細くなるテーパ状であることを特徴とする請求項１に記載の電気掃除機用吸込具。
【請求項３】
前記スイッチ抜止部品は、前記スイッチのオン／オフにより前記モータの動作を制御する回路を搭載した回路基板を収容する回路基板収容部を有することを特徴とする請求項１又は請求項２のいずれかに記載の電気掃除機用吸込具。
【請求項４】
前記スイッチ固定部品と前記スイッチ抜止部品との間に配置され、前記スイッチ抜止部品の外側を覆う容器状の金属ケースを備えたことを特徴とする請求項３に記載の電気掃除機用吸込具。
【発明の詳細な説明】
【技術分野】
【０００１】
この発明は、電気掃除機用吸込具に関するものである。
【背景技術】
【０００２】
従来における内部に電動式の回転ブラシを有する電気掃除機用吸込具においては、吸込具が床面等の被清掃面から離れた際に、回転ブラシの回転を自動的に停止させるための安全装置を備えたものが知られている（例えば、特許文献１や特許文献２参照）。この安全装置は、吸込具が被清掃面に接地しているか否かを検出する検出部の動作に応じマイクロスイッチをオン／オフすることにより回転ブラシの回転を駆動するモータの動作を制御するものである。
【０００３】
このようなマイクロスイッチを有する従来の安全装置の構成を、図１１から図１３を参照しながら説明する。安全装置１１は、吸込具本体の底面に上下動可能に設けられた補助ローラの上下動に連動してオン／オフされるマイクロスイッチ１３を備えている。そして、安全装置１１は、マイクロスイッチ固定部品１４、マイクロスイッチ抜止部品１５及び回路基板１６を有している。
【０００４】
マイクロスイッチ固定部品１４には、マイクロスイッチ１３が取り付けられる被取付面１４ａと、この被取付面１４ａに突設された固定ピン１４ｂと、を備えている。マイクロスイッチ１３のマイクロスイッチ固定部品１４への取り付けは、被取付面１４ａに略垂直な所定の取付方向からマイクロスイッチ１３を被取付面１４ａに押し付けるようにして行われる。この際、マイクロスイッチ１３の取付孔に、マイクロスイッチ固定部品１４の固定ピン１４ｂを嵌合する。
【０００５】
マイクロスイッチ抜止部品１５には、下方に向けて略垂直に抜止リブ１５ａが突設されている。マイクロスイッチ固定部品１４にマイクロスイッチ１３を取り付けた後、マイクロスイッチ抜止部品１５の内側面に設けた溝１５ｃを回路基板１６の板に前記所定の取付方向からスライド挿入させ、マイクロスイッチ固定部品１４の被取付面１４ａとマイクロスイッチ抜止部品１５の接合面１５ｄとが接することにより、抜止リブ１５ａが突設していることで固定ピン１４ｂからマイクロスイッチ１３が抜けてしまうことを防止する。
【０００６】
また、マイクロスイッチ固定部品１４及びマイクロスイッチ抜止部品１５の上面には回路基板１６が収容される。この回路基板１６には、マイクロスイッチ１３の動作によって回転ブラシの回転を駆動するモータを制御する回路が搭載されている。
【先行技術文献】
【特許文献】
【０００７】
【特許文献１】特許第４０８８４８２号公報
【特許文献２】特許第４６１７５５８号公報
【発明の概要】
【発明が解決しようとする課題】
【０００８】
しかしながら、このようなマイクロスイッチを有する従来の安全装置を具備した電気掃除機用吸込具においては、マイクロスイッチ固定部品１４に対するマイクロスイッチ１３の取付方向と、マイクロスイッチ抜止部品１５の取付方向とが同一である。このため、マイクロスイッチ抜止部品１５が規定の位置まで押し込まれなかった場合には、抜止リブ１５ａが抜け止めの役割を果たすことができず、マイクロスイッチ１３が正規の取付位置からずれてしまう可能性があるという課題がある。また、マイクロスイッチ抜止部品１５を取り付ける際、マイクロスイッチ抜止部品１５の内側面に設けた溝１５ｃを回路基板１６の板に沿ってスライド挿入させるため取り付けが困難であるという課題もある。
【０００９】
この発明は、このような課題を解決するためになされたもので、安全装置の組み立て時において容易にマイクロスイッチを正規の取付位置に配置することが可能であって組立性が良好であるとともに、簡潔な構成で、安全装置のマイクロスイッチが正規の取付位置からずれてしまうことを防止することができる電気掃除機用吸込具を得るものである。
【課題を解決するための手段】
【００１０】
この発明に係る電気掃除機用吸込具は、底面に吸込口が設けられ、内部に電動式の回転ブラシを有する吸込具本体と、前記吸込具本体の前記底面が被清掃面に接地しているか否かを検出する検出部と、前記検出部の動作に応じてスイッチをオン／オフすることにより前記回転ブラシの回転を駆動するモータの動作を制御する安全装置と、を具備した電気掃除機用吸込具であって、前記安全装置は、正規の位置に取り付けられた前記スイッチの一面が当接する被取付面及び前記被取付面に略垂直な板状部材が設けられたスイッチ固定部品と、前記板状部材の、正規の位置に取り付けられた前記スイッチの反対側から前記スイッチ固定部品に係合されるスイッチ抜止部品と、を有し、前記スイッチ固定部品の前記被取付面に所定の取付方向に略平行に突設され、前記スイッチに穿設された取付孔と嵌合する固定ピンと、前記スイッチ抜止部品に突設され、前記所定の取付方向と略直交して前記板状部材に穿設された貫通孔を貫通する抜止リブと、を備え、前記貫通孔及び前記抜止リブは、前記固定ピンに前記取付孔が嵌合されて前記スイッチが前記正規の位置に取り付けられた状態において、前記貫通孔を貫通した前記抜止リブが、前記スイッチの反前記被取付面側の面と対向するように配置され、前記抜止リブは、前記板状部材の、正規の位置に取り付けられた前記スイッチの反対側から前記貫通孔に貫通される構成とする。
【発明の効果】
【００１１】
この発明に係る電気掃除機用吸込具においては、安全装置の組み立て時において容易にマイクロスイッチを正規の取付位置に配置することが可能であって組立性が良好であるという効果を奏する。
また、簡潔な構成で、安全装置のマイクロスイッチが正規の取付位置からずれてしまうことを防止することができるという効果も併せ奏する。
【図面の簡単な説明】
【００１２】
【図１】この発明の実施の形態１に係る電気掃除機の全体構成を示す図である。
【図２】この発明の実施の形態１に係る吸込具本体の斜視図である。
【図３】この発明の実施の形態１に係る吸込具本体の上ケースを外した状態を示す斜視図である。
【図４】この発明の実施の形態１に係る吸込具本体の下ケースから安全装置を取り外した状態を示す斜視図である。
【図５】この発明の実施の形態１に係る安全装置の外観を示す斜視図である。
【図６】この発明の実施の形態１に係る安全装置の断面図である。
【図７】この発明の実施の形態１に係る下ケースに取り付けられた安全装置の断面図である。
【図８】この発明の実施の形態１に係る安全装置が有するマイクロスイッチの斜視図である。
【図９】この発明の実施の形態１に係る安全装置が有するマイクロスイッチ固定部品の斜視図である。
【図１０】この発明の実施の形態１に係る安全装置が有するマイクロスイッチ抜止部品の斜視図である。
【図１１】従来における安全装置の外観を示す斜視図である。
【図１２】従来における安全装置の正面図である。
【図１３】従来における安全装置の断面図である。
【発明を実施するための形態】
【００１３】
この発明を添付の図面に従い説明する。各図を通じて同符号は同一部分又は相当部分を示しており、その重複説明は適宜に簡略化又は省略する。
【００１４】
実施の形態１．
図１から図１０は、この発明の実施の形態１に係るもので、図１は電気掃除機の全体構成を示す図、図２は吸込具本体の斜視図、図３は吸込具本体の上ケースを外した状態を示す斜視図、図４は吸込具本体の下ケースから安全装置を取り外した状態を示す斜視図、図５は安全装置の外観を示す斜視図、図６は安全装置の断面図、図７はケースに取り付けられた安全装置の断面図、図８は安全装置が有するマイクロスイッチの斜視図、図９は安全装置が有するマイクロスイッチ固定部品の斜視図、図１０は安全装置が有するマイクロスイッチ抜止部品の斜視図である。
【００１５】
図１において、１は、吸込具本体である。この吸込具本体１の底面には、床面等の被清掃面上のごみや塵埃を含んだ空気（含塵空気）を吸い込むための吸込口１ａが設けられている。吸込具本体１には、中空円筒状の吸引パイプ２の一端が接続されている。そして、この吸引パイプ２の他端には、可撓性を有する蛇腹状のホース３の一端が、中途で折曲された形状の接続パイプを介して接続されている。
【００１６】
このホース３の他端は、掃除機本体４に接続されている。掃除機本体４内には、掃除機本体４の外部から内部に流入した含塵空気中のごみ（塵埃）を捕捉して集める集塵部４ａが設けられている。そして、吸込具本体１の吸込口１ａから掃除機本体４の集塵部４ａまでが、吸引パイプ２及びホース３を経由して連通され、吸込具本体１、吸引パイプ２及びホース３は、含塵空気を掃除機本体４の外部から内部に流入させるための吸引経路を構成している。
【００１７】
また、掃除機本体４には、電動送風機４ｂが内蔵されている。この電動送風機４ｂは、吸込具本体１の吸込口１ａから吸引パイプ２及びホース３を経由して掃除機本体４の集塵部４ａへと含塵空気を吸引する吸引動作を駆動するためのものである。なお、吸引パイプ２の他端側には、掃除機本体４の運転を制御する操作スイッチが配置された把持部５が設けられている。電気掃除機の使用者は、使用時においてこの把持部５を持つことにより掃除機本体４を引き回す。
【００１８】
図２は吸込具本体１の外観を示すものである。吸込具本体１は、上ケース６及び下ケース７が組み合わされて構成されたケース部と、このケース部の後側に接続されたエルボー継手８と、を有している。吸込具本体１は、エルボー継手８を介して吸引パイプ２に着脱自在に接続される。このエルボー継手８は、ケース部に対して上下方向に所定の角度で傾動が可能に取り付けられるとともに、さらに、前記傾動の軸に対して直交する軸を中心にして回動自在な構造を有している。
【００１９】
このケース部の上ケース６を外した吸込具本体１の内部を示すものが図３である。ケース部内の前方側寄りには、被清掃面上の塵埃を掻き取るための回転ブラシ９が、吸込口１ａを臨むようにして回転可能に設けられている。また、ケース部内の後方寄り側における左右の一方側にはモータ１０が、ケース部内の後方寄り側における左右の他方側には安全装置１１が、それぞれ収容されている。
【００２０】
モータ１０は、回転ブラシ９の回転を駆動するためのものである。モータ１０の回転は、タイミングベルト１０ａを介して回転ブラシ９へと伝動される。また、安全装置１１は、吸込具本体１が被清掃面から離れた際に回転ブラシ９の回転を自動的に停止させるためのものである。図４に示すように、安全装置１１は下ケース７の安全装置取付部７ａに取り付けられる。
【００２１】
図５及び図６に安全装置１１を、図７に安全装置１１を吸込具本体１の下ケース７に取り付けた状態を、それぞれ示す。安全装置１１は、吸込具本体１の底面に上下動可能に設けられた補助ローラ１２の上下動に連動してオン／オフされるマイクロスイッチ１３を備えている。そして、安全装置１１は、このマイクロスイッチ１３が固定されるマイクロスイッチ固定部品１４と、マイクロスイッチ固定部品１４の上面側に取り付けられるマイクロスイッチ抜止部品１５と、マイクロスイッチ抜止部品１５内に収容される回路基板１６と、回路基板１６が収容されたマイクロスイッチ抜止部品１５の上方から、覆設されるカバー部品１７と、を有している。
【００２２】
マイクロスイッチ１３は、前述したように、補助ローラ１２の上下動に応じてオン／オフされるものである。具体的には、補助ローラ１２は、吸込具本体１の底面から下方に突出するようにバネにより弾性的に付勢されている。吸込具本体１の底面が被清掃面に接触している場合には、被清掃面によりバネの付勢力に抗して補助ローラ１２が上方に押し込まれ、補助ローラ１２は上に移動する。そして、吸込具本体１の底面が被清掃面から離れると、バネの付勢力により補助ローラ１２が下方に移動する。
【００２３】
マイクロスイッチ１３は、このような補助ローラ１２の上下動に応じて揺動するてこを利用した機械的機構により押下されるスイッチ部１３ａを備えている。また、マイクロスイッチ１３には、マイクロスイッチ固定部品１４に対する取り付けに用いられる２つの取付孔１３ｂが穿設されている（図８）。
【００２４】
マイクロスイッチ固定部品１４を図９に示す。マイクロスイッチ固定部品１４には、このマイクロスイッチ１３の取付孔１３ｂに対応して、マイクロスイッチ１３の被取付面１４ａに固定ピン１４ｂが突設されている。マイクロスイッチ１３のマイクロスイッチ固定部品１４への取り付けは、マイクロスイッチ固定部品１４の被取付面１４ａに略垂直な所定の取付方向からマイクロスイッチ１３を被取付面１４ａに押し付けるようにして行われる。この際、マイクロスイッチ１３の取付孔１３ｂに、マイクロスイッチ固定部品１４の固定ピン１４ｂを嵌合することにより、マイクロスイッチ１３をマイクロスイッチ固定部品１４に対して、正規の位置及び向きで取り付けることができる。
【００２５】
マイクロスイッチ固定部品１４の上面の所定の位置には、抜止リブ用貫通孔１４ｃが穿設されている。被取付面１４ａはマイクロスイッチ固定部品１４の上面に対して略垂直な面であるため、逆に言えば、抜止リブ用貫通孔１４ｃは、被取付面１４ａに対して略垂直な板状部材（マイクロスイッチ固定部品１４の上面部分）に設けられている。そして、この抜止リブ用貫通孔１４ｃは、固定ピン１４ｂに取付孔１３ｂが嵌合されて正規の位置及び向きで取り付けられたマイクロスイッチ１３の、反被取付面１４ａ側の端部に隣接する位置に配置されている。
【００２６】
図１０は、マイクロスイッチ抜止部品１５を示すものである。マイクロスイッチ抜止部品１５の下面には、下方に向けて略垂直に抜止リブ１５ａが突設されている。また、マイクロスイッチ抜止部品１５は回路基板１６の収容部も兼ねており、マイクロスイッチ抜止部品１５の上面に容器状の回路基板収容部１５ｂが設けられ、この回路基板収容部１５ｂに回路基板１６が収容される。この回路基板１６には、マイクロスイッチ１３の動作によってモータ１０の回転を制御する回路が搭載されており、モータ１０及びマイクロスイッチ１３と電気的に接続されている。
【００２７】
再び図５から図７を参照しながら、安全装置１１の組み立て手順について説明する。まず、マイクロスイッチ１３を、所定の取付方向に沿った方向で、すなわち、マイクロスイッチ固定部品１４の被取付面１４ａに略垂直に（換言すると、固定ピン１４ｂに略平行に）、取付孔１３ｂに固定ピン１４ｂを嵌合させながら、マイクロスイッチ固定部品１４へと押し込んで取り付ける。
【００２８】
次に、マイクロスイッチ抜止部品１５を、上方からマイクロスイッチ固定部品１４の上面に組み合わせる。この際に、マイクロスイッチ抜止部品１５の下面にある抜止リブ１５ａを、抜止リブ用貫通孔１４ｃに挿入する。前述したように、抜止リブ用貫通孔１４ｃは、正規の位置及び向きでマイクロスイッチ固定部品１４に取り付けられたマイクロスイッチ１３の、反被取付面１４ａ側の端部に隣接する位置に配置されているため、抜止リブ用貫通孔１４ｃを貫通した抜止リブ１５ａが、マイクロスイッチ１３の反被取付面１４ａ側の面に沿って配置されることとなる。
【００２９】
すなわち、抜止リブ１５ａは、所定の取付方向に略直交する方向から抜止リブ用貫通孔１４ｃに挿入され、正規の位置に取り付けられたマイクロスイッチ１３の反被取付面１４ａ側の面に対向していることから、マイクロスイッチ１３が正規の取付位置からずれたり、固定ピン１４ｂからマイクロスイッチ１３が抜けてしまったりすることを防止している。
【００３０】
なお、抜止リブ１５ａは、その先端にいくほど細くなるようなテーパ状の形状となっている。このため、抜止リブ１５ａを抜止リブ用貫通孔１４ｃに挿入しやすくなるとともに、マイクロスイッチ１３が完全に固定ピン１４ｂに嵌まっていなかった場合であっても、抜止リブ１５ａを抜止リブ用貫通孔１４ｃに挿入してマイクロスイッチ抜止部品１５下方に押すことで、抜止リブ１５ａのテーパ状の斜面の作用によりマイクロスイッチ１３を正規の位置にまで押し込むことが可能である。
【００３１】
そして、マイクロスイッチ１３が取り付けられたマイクロスイッチ固定部品１４にマイクロスイッチ抜止部品１５を組み合わせた後は、回路基板収容部１５ｂに回路基板１６を収容した上でカバー部品１７を取り付けることにより、例えば図５に示すような安全装置１１が完成し、この完成した安全装置１１を下ケース７の安全装置取付部７ａに取り付ける。
【００３２】
なお、ここで、回路基板１６が万が一発熱等した場合に備えて、図６や図７に示すように、マイクロスイッチ固定部品１４とマイクロスイッチ抜止部品１５との間に配置され、マイクロスイッチ抜止部品１５の外側を覆う容器状の金属ケース１８を設けるようにしてもよい。
【００３３】
以上のように構成された電気掃除機用吸込具は、吸込具本体の底面が被清掃面に接地しているか否かを検出する検出部である補助ローラと、この検出部の動作に応じてマイクロスイッチをオン／オフすることにより回転ブラシの回転を駆動するモータの動作を制御する安全装置と、を備え、この安全装置は、正規の位置に取り付けられたマイクロスイッチの一面が当接する被取付面及びこの被取付面に略垂直な板状部材が設けられたマイクロスイッチ固定部品と、前記板状部材の反被取付面側からマイクロスイッチ固定部品に係合されるマイクロスイッチ抜止部品と、を有している。
【００３４】
そして、マイクロスイッチ固定部品の被取付面に、マイクロスイッチに穿設された取付孔と嵌合する固定ピンが所定の取付方向に略平行に突設し、マイクロスイッチ抜止部品に、前記所定の取付方向と略直交して前記板状部材に穿設された貫通孔を貫通する抜止リブを突設した上で、貫通孔及び抜止リブは、固定ピンに取付孔が嵌合されてマイクロスイッチが正規の位置に取り付けられた状態において、マイクロスイッチが固定ピンから抜けないように、貫通孔を貫通した抜止リブがマイクロスイッチの反被取付面側の面と対向するように配置されている。
【００３５】
このため、安全装置の組み立て時において容易にマイクロスイッチを正規の取付位置に配置することが可能であって組立性が良好である。また、簡潔な構成で、マイクロスイッチが正規の取付位置からずれてしまうことを確実に防止することができる。
【符号の説明】
【００３６】
１    吸込具本体
１ａ  吸込口
２    吸引パイプ
３    ホース
４    掃除機本体
４ａ  集塵部
４ｂ  電動送風機
５    把持部
６    上ケース
７    下ケース
７ａ  安全装置取付部
８    エルボー継手
９    回転ブラシ
１０    モータ
１０ａ  タイミングベルト
１１    安全装置
１２    補助ローラ
１３    マイクロスイッチ
１３ａ  スイッチ部
１３ｂ  取付孔
１４    マイクロスイッチ固定部品
１４ａ  被取付面
１４ｂ  固定ピン
１４ｃ  抜止リブ用貫通孔
１５    マイクロスイッチ抜止部品
１５ａ  抜止リブ
１５ｂ  回路基板収容部
１５ｃ  溝
１５ｄ  接合面
１６    回路基板
１７    カバー部品
１８    金属ケース
【図１】
0005673421.tif 000002
【図２】
0005673421.tif 000003
【図３】
0005673421.tif 000004
【図４】
0005673421.tif 000005
【図５】
0005673421.tif 000006
【図６】
0005673421.tif 000007
【図７】
0005673421.tif 000008
【図８】
0005673421.tif 000009
【図９】
0005673421.tif 000010
【図１０】
0005673421.tif 000011
【図１１】
0005673421.tif 000012
【図１２】
0005673421.tif 000013
【図１３】
0005673421.tif 000014